(57)【特許請求の範囲】
【請求項１】
後板の両側部位に縦方向適宜間隔をおいて設けた複数個の差し込み部と、左右側板の後側部位において前記差し込み部と対応して内方に向けて凹設され上側構成面に前記差し込み部の差し入れ口を開放した複数個の凹窪部とからなり、前記差し込み部は上側部を除いて後板からスリットで切り離して形成され、且つ凹窪部を、前記スリットで包囲されるエリアの正面視形状と同等もしくは若干小さな正面視形態に形成していることを特徴とするレンジフードファンの函体の接合構造。
【請求項２】
前記凹窪部はその両側の構成面間隔を前記差し込み部の横幅寸法と同等にしていることを特徴とする請求項１記載のレンジフードファンの函体の接合構造。
【請求項３】
前記差し込み部はその下端に外側に傾斜する案内部を有していることを特徴とする請求項２記載のレンジフードファンの函体の接合構造。
【請求項４】
後板の両側縁部全長に亘って折曲形成した嵌込部と、左右側板の後縁部全長に亘って折曲形成され前記嵌込部を嵌合する被嵌合部と、前記嵌込部に縦方向適宜間隔をおいて突設した係合突起と、前記被嵌合部に形成され嵌込部と被嵌合部とを前後方向から互いに嵌合した時、前記係合突起が係止する被係止部とを備えてなり、前記嵌込部と被嵌合部とは嵌合時に後板に対して直角な取合面を構成する断面形状をもって形成され、前記嵌込部の取合面に被嵌合部の取合面方向に係合突起を突設し、前記被嵌合部の取合面にその係合突起が係止する被係止部を形成していることを特徴とするレンジフードファンの函体の接合構造。
【請求項５】
前記係合突起が略矩形状を呈し、また被係止部が前記係合突起よりも大形とする上位のガイド孔部と、そのガイド孔部の下位に連通され前記係合突起の横幅寸法と同等幅寸法を有する略矩形状の小形孔部とを備えていることを特徴とする請求項４記載のレンジフードファンの函体の接合構造。
【請求項６】
前記請求項１乃至５いずれかに記載のレンジフードファンの函体の接合構造において、更に後板と側板各々との油受けに亘って縦断面略コ型のコーナー用プレートを圧入していることを特徴とするレンジフードファンの函体の接合構造。
【発明の詳細な説明】
【０００１】
【発明の属する技術分野】
本発明は、レンジフードファンの函体の接合構造、更に詳しくは後板と左右側板との３パーツで構成される函体の接合構造に関するものである。
【０００２】
【従来の技術】
レンジフードファンの本体部、即ち平面視コ型の函体は一枚の鋼板から折曲して後板、左右側板を製作していた。
鋼板の長辺寸法は詳細にはレンジフードファンの間口（６００ｍｍ、７５０ｍｍ、９００ｍｍ）＋両側板の奥行き（例えば３６０×２）が必要であり、製作の際には広い作業スペースを必要とするばかりでなく、プレス加工、ベンド加工する際にも大型機械が不可欠であり、そのため購入またはレンタルに関わる高額の費用、また機械の設置スペースの確保が難しいのが現状である。
無論、後板と左右側板をそれぞれ分割して製作して組み立てる方法も取り入れられているものの、各パーツをスポット溶接等の手段で接合するにはスポット溶接機の設置スペースが必要となる。
そして、この大きな函体は重量化しない反面、体積が大きく、運搬時の効率も悪いものであった。
そこで、前記問題点を解決するために実開昭６１−１５９７２７号公報に開示する組立式が既に提案されている。
この先行技術は図１０に示すように後板１の両側部に内側に向けて引っ掛け片51を立ち上げ形成し、その引っ掛け片51と対応して側板（右側板）３に孔53を開孔し、孔53の上側孔縁に引っ掛け片51を引っ掛けるように側板（右側板）３を落とし込み、更にネジ200 止めして後板１と側板（右側板）３とを平面視直角状に接合している。
【０００３】
【発明が解決しようとする課題】
しかしながら、この引っ掛け方式ではその引っ掛け片51が函体Ａ内に上向き状をもって突出することから清掃時にスポンジ、布が引っ掛かかってしまい清掃がしずらいばかりでなく、引っ掛け片51の内側への突起部51ａで怪我をする危険性を孕み、その上、ガタツキを防止するためにネジ200 止めしなければならない。尚、引っ掛け片の函体内への突出を防止するためには逆に側板に引っ掛け片を外側に向けて設け、その引っ掛け片に後板に設けた孔を引っ掛ける方式にすれば良い（図示せず）。
しかし、どちらにしても前記する引っ掛ける手段は後板と左右側板とを単に引っ掛ける機能を奏するためにのみ利用されているのが実情であり、固定を安定化するためにはネジ止め作業が必須であった。
【０００４】
本発明は従来事情に鑑みてなされたもので、その技術的課題は内側に突起物が突出しない単なる引っ掛けまたは嵌め込み方式で後板と両側板とを強固に接合することである。
【０００５】
【課題を解決するための手段】
上記目的を達成するために講じた技術的手段は、請求項１は、後板の両側部位に縦方向適宜間隔をおいて設けた複数個の差し込み部と、左右側板の後側部位において前記差し込み部と対応して内方に向けて凹設され上側構成面に前記差し込み部の差し入れ口を開放した複数個の凹窪部とからなり、前記差し込み部は上側部を除いて後板からスリットで切り離して形成され、且つ凹窪部を、前記スリットで包囲されるエリアの正面視形状と一致もしくは若干小さな正面視形態に形成していることを要旨とする。
また、請求項２は請求項１記載の凹窪部のその両側の構成面間隔を、前記差し込み部の横幅寸法と同等にしていることを要旨とする。
請求項３は請求項２記載の差し込み部がその下端に外側に傾斜する案内部を有していることを要旨とする。
そして、請求項４は後板の両側縁部全長に亘って折曲形成した嵌込部と、左右側板の後縁部全長に亘って折曲形成され前記嵌込部を嵌合する被嵌合部と、前記嵌込部に縦方向適宜間隔をおいて突設した係合突起と、前記被嵌合部に形成され嵌込部と被嵌合部とを前後方向から互いに嵌合した時、前記係合突起が係止する被係止部とを備えてなり、前記嵌込部と被嵌合部とは嵌合時に後板に対して直角な取合面を構成する断面形状をもって形成され、前記嵌込部の取合面に被嵌合部の取合面方向に係合突起を突設し、前記被嵌合部の取合面にその係合突起が係止する被係止部を形成していることを要旨とする。
更に、請求項５は請求項４記載の係合突起が略矩形状を呈し、また被係止部が前記係合突起よりも大形とする上位のガイド孔部と、そのガイド孔部の下位に連通され前記係合突起の横幅寸法と同等幅寸法を有する略矩形状の小形孔部とを備えていることを要旨とする。
更にまた請求項６は請求項１乃至５いずれかに記載のレンジフードファンの函体の接合構造において、更に後板と側板各々との油受けに亘って縦断面略コ型のコーナー用プレートを圧入していることを要旨とする。
尚、請求項５は、略矩形状を呈する係合突起の前後一対の平行側縁を略矩形状を呈する小形孔部の前後一対の平行孔縁に係止する係止構造を構成し、その係止は広範囲で安定する。それ故、その係止が解除されない程度のクリアランスをもって嵌込部と被嵌合部とが遊嵌合されることを本発明は包含するものである。
【０００６】
上記技術的手段によれば下記の作用を奏する。
（請求項１）本接合構造では、上側部を後板と連設しそれ以外の部分を同後板からスリットで切り離した差し込み部が、外方に弾性変形して左右側板の凹窪部に差し込まれる一方、凹窪部がスリットで包囲されるエリアスペースに入り込んで後板と左右側板相互を面接触させる。
その時、凹窪部の深さの設定によって差し込み部の弾性復元力で凹窪部の底部が挟持されて後板と左右側板とを接合する。
（請求項２）本接合構造は、請求項１に加えて、差し込み部と凹窪部とがガタツキのない嵌め合い状態を構成して前記接合を強固にする。
（請求項３）本接合構造は、請求項２と加えて後板を上方から落とし込む作業で凹窪部の底部を挟持して後板と左右側板とを接合する。
（請求項４）本接合構造は、後板に折曲形成した嵌込部と左右側板に折曲した被嵌合部とが互いに嵌合する嵌合力と、嵌込部、被嵌合部との嵌合時に後板に対して直角関係になる互いの取合面に設けた係合突起と被係止部との係止力との相乗で後板と両側板とを接合する。
係合突起と被係止部との係止は嵌込部と被嵌合部とをその嵌合時に若干弾性変形させることによって行われる。
（請求項５）本接合構造は、略矩形状の係合突起がガイド孔部に進入するように嵌込部と被嵌合部とを互いに嵌合し、左右側板を若干上昇させて係合突起を下位の小形孔部に導いて後板と左右側板とを接合する。この嵌合方式では嵌合力と、係合突起における前後一対の平行側縁と小形孔部における前後一対の平行孔縁との広範囲な係止力とが協働して後板と左右側板とを強固に接合する。
係合突起のガイド孔部への挿入（進入）は請求項３と同様に嵌込部と被嵌合部との嵌合時に嵌込部、被嵌合部を若干弾性変形させることによって行われる場合と、嵌込部と被嵌合部との間に若干のクリアランスを設けておき、そのクリアランスを利用して行われる場合とを採用できる。
（請求項６）本接合構造は、コーナー用プレートが後板と両側板とを平面視Ｌ形状に保形し、且つそのコーナー用プレート自らが持っている剛性で左右側板の自重が前記挟持部分、衝合部分、嵌合部分、係止部分等に作用するのを阻止する。
【０００７】
【発明の実施の形態】
次に、本発明の実施の形態を図面に基づいて説明する。
図１乃至図９は本発明レンジフードファンの函体の接合構造の実施の形態を示している。符号Ａはレンジフードファンの函体である。
【０００８】
この函体Ａは従来と同様に後板１、左右側板２、３の３パーツから構成され、上部開放部を天板４で閉塞し、前部開放部を着脱可能な前板５で被蓋することによってフード本体Ａ’を構成するものである。
【０００９】
後板１は図１に示すように本体11の上縁に水平フランジ21を、下縁にＬ形フランジ31を各々内側に向けて折曲して形成してある。
【００１０】
左右側板２、３は同様に本体12、13の上縁、前縁、後縁に水平フランジ22、23を、下縁にＬ形フランジ32、33を各々前記後板１と同様に内側に向けて折曲して形成している。
【００１１】
後板１には図１や図２に示すように本体11の両側部位に差し込み部６が縦方向適宜間隔をおいて設けられている。
この差し込み部６は図２や図３に示すように上側部を除いて本体11にスリット11ａを３方に切入することによって形成された矩形板部であり、その上側部を本体との連設部16として弾性変形可能とし、下端部を外側に傾斜する案内部26としている。
【００１２】
左右側板２、３には前記差し込み部６と対応して凹窪部７が形成されている。
【００１３】
凹窪部７は前記差し込み部６と対応する後縁の水平フランジ22、23部分において前記３方のスリット11ａで包囲されるエリアの正面視形状と同等もしくは若干小さな正面視形態をもって内側に向けて凹設され、上側構成面部分に差し込み部の差し入れ口17を開口すると共に下側の構成面を前記案内部26よりも急激な傾斜面47としている。
この凹窪部７はその両側の構成面27、27間隔を前記差し込み部６の横幅寸法と同等にしており、また深さは案内部26を含んだ差し込み部６厚みと同等もしくは僅かながら深いものにしてある。
【００１４】
斯様に構成されている後板１、左右側板２、３とを互に接合して函体Ａを組み付ける手順を説明する。
後板１に対する左側板２と右側板３との組み付け手順は同一であるため、後板１と左側板２との接合手順について説明する。
まず、左側板２における後縁の水平フランジ22の内側に後板１の両側部がオーバーラップするように位置させ（図２（ロ）、図３（ロ））、後板１を上方から落とし込む。すると前記案内部26が凹窪部７の差し込み口17から自然と差し入れられて差し込み部６を前記連設部16を中心にして外側に弾性変形させ、凹窪部７への進入は阻害されない（図３（ハ））。そして、差し込み部６が凹窪部７に完全に進入した時点で凹窪部７は前記３方のスリット11ａ、11ａ、11ａで包囲されるエリアスペース11ｂ内に丁度入り込んで後板１と左側板２と互いに面接触させる一方、差し込み部６はその両側面36、36が凹窪部７の両側の構成面27、27に衝合した上で同凹窪部７の底37を挟持して差し込み部６と凹窪部７とを身動きできない状態にする（図２（ハ）、図３（ニ））。この挟持は凹窪部７の前記傾斜面47に案内部26が弾性的に挟持することも相乗して行われる。
このように各差し込み部６の挟持力と、各差し込み部６の両側面36、36が凹窪部７両側の構成面27、27に衝合する衝合力とによって後板１と左側板２とを接合する。
尚、この実施の形態においては前記差し込み部６は案内部26を有さない平板状であっても良いものである。
この場合には差し込み部６は手で軽く弾性変形させながら凹窪部７に差し込むこととし、凹窪部７の深さは差し込み部６を図（ニ）に示すように後板１と左右側板２、３とが面接触する関係をもって差し込んだ状態で、凹窪部７の底面37ａに差し込み部６の対応面36が少なくとも当接する深さに設定する。
【００１５】
また図１、図４、図５において符号８は前記後板１と左右側板２、３との平面視Ｌ形状を保形するコーナー用プレートであり、後板１と左右側板２、３各々とのＬ形フランジ（後述では油受けと称する）31、32、33に亘って上方から圧入してある。
【００１６】
コーナー用プレート８は前記油受け31、32、33の遊端に折曲したヘミング潰し31ａ、32ａ、33ａの下縁部に圧入時に係止する外向き突片18が所望の間隔をおいて突設形成してある（図１、図４、図５参照）。
【００１７】
このコーナー用プレート８は図５に示すように外向き突片18が油受け31、32、33への圧入によってヘミング潰し31ａ、32ａ、33ａの下縁部に緊係止して一体的に結合し、後板１と左右側板２、３各々とを平面視Ｌ形に保形する。
【００１８】
従って、各差し込み部６の挟持力と、各差し込み部６の凹窪部７における両側の構成面27、27との衝合力とによって後板１に対して左右側板２、３が強固に接合された函体Ａを構成すると共に、左右側板２、３の自重が前記挟持部分、衝合部分に作用するのをコーナー用プレート８で防止して常に所定の挟持力、衝合力を継続する耐久性に優れた函体Ａの接合構造となる。
【００１９】
尚、天板４は図１に示すようにリベット等の適宜手段で函体Ａの上方開放部を閉塞するように止着される。
【００２０】
次に図７乃至図９に示す実施の形態を説明すると、符号Ａはレンジフードファンの函体である。
【００２１】
この函体Ａは前記実施の形態と同様に後板１、左右側板２、３の３パーツから構成されている。符号４は上部開放部を閉塞する天板で、５は前部開放部を被蓋する着脱可能な前板であり、共にフード本体Ａ’を構成するものである。
【００２２】
後板１は図７、図９に示すように本体11の上縁に水平フランジ21を、下縁にＬ形フランジ31を各々内側に向けて折曲すると共に、両側縁にその全高に亘って平面視ハット型を呈する嵌込部41を内側に向けて折曲している。
【００２３】
左右側板２、３は図７、図９に示すように本体12、13の上縁、前縁に水平フランジ22、23を、下縁にＬ形フランジ32、33を、更には後縁にその全高に亘って前記嵌込部41と嵌合関係を構成する階段型の被嵌合部42、43を内側に向かって折曲している。
【００２４】
前記嵌込部41は詳細には本体11の両端から内側に向けて直角に折曲された第１内向片部41ａ−１の内端から直角に中間片部41ａ−２を本体11と平行状に折曲し、更にその中間片部41ａ−２の外端から第１内向片部41ａ−１と平行関係となる第２内向片部41ａ−３を直角に折曲して形成したコ形部41ａと、そのコ形部41ａにおける第２内向片部41ａ−３の外端から本体11の延長方向に直角に折曲した延設片部41ｂとから平面視ハット型を呈している。
被嵌合部42、43は本体12、13の後縁から後板方向に直角に折曲され前記延設片部41ｂの外面（裏面）に添接する添接片部42ａ、43ａと、その添接片部42ａ、43ａの先端から内向きに折曲され前記コ形部41ａにおける中間片部41ａ−２の外面（裏面）、第２内向片部41ａ−３の外面（裏面）に添接するＬ形片部42ｂ、43ｂとを有している。
【００２５】
前記嵌込部41と被嵌合部42、43との嵌合関係は同一であるため、嵌込部41と被嵌合部43（右側板３の嵌合部）との関係について図８、図９と共に説明する。
前記嵌込部41における中間片部41ａ−２の横幅寸法は図９で明確な通りＬ形片部43ｂの前半片部43ｂ’と同等な横幅寸法とし、また延設片部41ｂの横幅寸法も図９で明確な通り被嵌合部43の添接片部43ａと同等な横幅寸法にして、互いに組み合われた時に丁度嵌込部41と被嵌合部43とが嵌合関係を構成するようになっている。
【００２６】
この嵌込部41と被嵌合部43とは後板１の本体11に対して直角な取合面100 を構成する前記第２内向片部41ａ−３に係合突起９を、その係合突起９と対応するＬ形片部42ｂの後半片部43ｂ”に被係止部１０を各々形成している。
【００２７】
前記被係止部１０は前記係合突起９よりも大形とする上位のガイド孔部１０ａと、そのガイド孔部１０ａの下位に連通し係合突起９の横幅寸法と同等幅寸法を有する略矩形状の小形孔部１０ｂとからなっている。
【００２８】
一方、係合突起９は略矩形状を呈してなり、前記嵌込部41の第２内向片部41ａ−３から後半片部43ｂ”方向に突設されており、図９に示すように延設片部43ａに近接する側の側縁部を傾斜面19で形成している。
【００２９】
斯様に構成されている後板１、左右側板２、３とを互に接合して函体Ａを組み付ける時には、上位のガイド孔部１０ａと係合突起９とを同一の高さ関係にして後板１を内側に位置させた状態で嵌込部41と被嵌合部42、43とを前後方向から互いに嵌合する。下記では嵌込部41と被嵌合部43との嵌合関係について説明する。前記のように嵌込部41と被嵌合部43とを互いに嵌合すると、係合突起９は前記傾斜面19のガイド作用で前記コ形部41ａ、Ｌ形片部43ｂ等を若干弾性変形させながら上位のガイド孔部１０ａに進入する（図８（イ））。そして、右側板３を若干上方に持ち上げて係合突起９を下位の小形孔部１０ｂにガイドし、その係合突起９の前後一対の平行側縁29、29を小形孔部１０ｂにおける前後一対の平行孔縁１０ｂ’、１０ｂ’に係止する（図８（ロ）（ハ））。この時、後板１の上縁と右側板３の上縁とは面一となる。
後板１に対する左側板２の接合についても同様に行われる。
尚、図８、図９に示すようにこの実施の形態においては嵌合時にガイド孔部１０ａへの係合突起９の進入（挿入）を案内すべく一方の平行側縁29を傾斜面19で構成しているが、その傾斜面19の角度を鈍角に設定することによって更に大きな係止力で係止することも可能であるし、嵌込部41と被嵌合部42、43とを若干のクリアランスをもって嵌合する構成とし、そのクリアランスを利用して前後の平行側縁29、29が立面状とする係合突起９を強制的にガイド孔部１０ａに進入させる構成にするのも自由である。
【００３０】
符号８は後板１と左右側板２、３各々とのＬ形フランジ、即ち油受け31、32、33に亘って上方から圧入するコーナー用プレートであり、前記実施の形態と同一構成である。
【００３１】
従って、後板１と左右側板２、３とを互いに嵌め合わせる作業と、左右側板２、３を後板１に対して若干上昇させる後作業とを行うだけで、互いの嵌合力と、係合突起９、被係止部１０の係止力とが相乗した接合力で突起物（係合突起）を内側に露出させることなく後板１と左右側板２、３とを平面視直角な関係に接続することができる上、左右側板２、３の自重が前記嵌合部、係止部に作用するのをコーナー用プレート８で防止して前記実施の形態と同様に常に所定の嵌合力、係止力を継続する耐久性に優れた函体の接合構造となる。
【００３２】
尚、請求項３では図示しないものの、後板と左右側板とを前後方向から互いに嵌め合わせた時に前記取合面に設けた係合突起と被係止部とが互いに係止する係止爪構造を包含するものである。
【００３３】
【発明の効果】
本発明は以上のように構成したから下記の利点がある。
（請求項１）凹窪部の深さ設定で差し込み部の弾性復元力を利用して凹窪部の底部を挟持して後板と左右側板とを接合する接合構造を構成することが可能である。
そのため、差し込み部各々を左右側板に設けた凹窪部各々に差し入れ口から差し入れる簡単な作業でもって引っ掛け片等のような清掃時に邪魔になったり、怪我の原因となる突起物を内側に突出させることなく後板と左右側板とを強固に接合するレンジフードファンの函体の接合構造を提供することができる。
（請求項２）凹窪部のその両側の構成面間隔を差し込み部の横幅寸法と同等にした場合には、各差し込み部の両側面と凹窪部の両側の構成面とが衝合する関係を作り出すから、後板と両側板とはその差し込み部と凹窪部との衝合力と前記挟持力とで協働してしっかりと固定できる。
（請求項３）しかも、差し込み部がその下端に外側に傾斜する案内部を有するものにあっては後板を上方から落とし込むだけの造作ない単純な作業で請求項２と同じしっかりとした接合が行える。
（請求項４）また、後板に折曲形成した嵌込部と、左右側板に折曲形成され前記嵌込部を嵌合する被嵌合部と、前記嵌込部に縦方向適宜間隔をおいて突設した係合突起と、前記被嵌合部に形成され嵌込部と被嵌合部とを互いに嵌合した時、前記係合突起が係止する被係止部とを備えたものにあっては、嵌込部と被嵌合部との嵌合作業だけでその嵌合力と係止力との相乗効果で後板と両側板とを接合でき、無論突起物が内側に突出して清掃性を害したり、清掃時に怪我をする虞れも回避できる。
（請求項５）その上、係合突起をガイド孔部に挿入されるように嵌込部と被嵌合部とを互いに嵌合させた後、左右側板を若干上昇させて略矩形状の係合突起を下位の小形孔部に導いてその係合突起の前後一対の平行側縁と略矩形状の小形孔部前後一対の平行孔縁とを係止するようにしているものにあっては、前記嵌合力と広範囲な係止力とが効果的に働いて後板と左右側板とをより強固に接合することができる。
（請求項６）その上、後板と左右側板との接合部を油受けに圧入したコーナー用プレートで更に補強することによってそのコーナー用プレートが函体の平面視Ｌ形状を保形すると共に左右側板の自重が前記挟持部、衝合部、嵌合部、係止部に集中するのを回避し、左右側板の自重で挟持部分、衝合部分、嵌合部分、係止部分にねじれ等の変形応力が生じるようなこともなくなり、所定の挟持力、衝合力、嵌合力、係止力を耐用期まで永続する信頼性を具備することができる。
【図面の簡単な説明】
【図１】本実施の形態における函体と天板、前板との関係を示す分解斜視図。
【図２】要部の拡大斜視図で、（イ）は差し込み部と凹窪部との関係を示し、（ロ）は差し込み部を差し込む状態を示し、（ハ）は差し込み部を差し込んだ状態を示す。
【図３】図２と対応する要部の拡大断面図で、（イ）は差し込み部と凹窪部とを示す、（ロ）は差し込み部を差し入れる前の状態を示す、（ハ）は差し込み部を弾性変形させている状態を示す、（ニ）は差し込み部で凹窪部の底を挟持している状態を示す。
【図４】コーナー用プレートを油受けに圧入する状態を示す拡大斜視図。
【図５】コーナー用プレートを油受けに圧入した状態を示す部分拡大断面図。
【図６】組み付けられたフード本体の斜視図。
【図７】他の実施の形態における函体と天板、前板との関係を示す分解斜視図。
【図８】嵌込部と被嵌合部との関係を示す部分拡大横断面図。
【図９】上位のガイド孔部と下位の小形孔部と係合突起との関係を示す図８の（９）−（９）線断面図で、（イ）は上位のガイド孔部に係合突起が進入した状態を示し、（ロ）は左右側板を上昇させている状態を示し、（ハ）は係合突起が下位の小形孔部に係止している状態を示す。
【図１０】従来の後板と左右側板との接合関係を示す要部の斜視図である。
【符号の説明】
Ａ  ：レンジフードファンの函体            １  ：後板
２、３：左右側板                            ６  ：差し込み部
７  ：凹窪部                              16  ：連設部
17  ：差し入れ口                          27、27：両側の構成面（凹窪部の両側の構成面）                            41  ：嵌込部
42、43：被嵌合部                            ９  ：係合突起
１０：被係止部                            100 ：取合面
１０ａ：上位のガイド孔部                  １０ｂ：下位の小形孔部
31、32、33：油受け                        ８  ：コーナー用プレート
26  ：案内部                              11ａ：スリット
11ｂ：エリアスペース                      29、29：平行側縁
１０ｂ’、１０ｂ’：平行孔縁
【図１】
0003773222.tif 000002
【図２】
0003773222.tif 000003
【図３】
0003773222.tif 000004
【図４】
0003773222.tif 000005
【図５】
0003773222.tif 000006
【図６】
0003773222.tif 000007
【図７】
0003773222.tif 000008
【図８】
0003773222.tif 000009
【図９】
0003773222.tif 000010
【図１０】
0003773222.tif 000011